(57)【要約】【課題】高温多湿な環境下でも好適に使用可能な記録ディスクカートリッジを提供する。【解決手段】本発明の記録ディスクカートリッジ１は、記録ディスクメディア３０と、記録ディスクメディア３０を収容すると共に記録ディスクメディア３０を外部に臨ませるケース開口を有するカートリッジケース１０と、記録ディスクメディア３０とカートリッジケース１０との間で回動することでケース開口を開閉するロータリシャッタ２０と、を備え、ロータリシャッタ２０は、記録ディスクメディア３０の一面側に配置される上シャッタ２１と、記録ディスクメディア３０の他面側に配置される下シャッタ２２と、記録ディスクメディア３０の半径方向外側であって上シャッタ２１と下シャッタ２２との間に配置されるシャッタウォール２３と、を有し、かつ、上シャッタ２１、下シャッタ２２及びシャッタウォール２３のうち少なくとも一つを防カビ処理している。【選択図】図２
2007164864.tif 000002
【特許請求の範囲】
【請求項１】
記録ディスクメディアと、
前記記録ディスクメディアを収容すると共に、当該記録ディスクメディアを外部に臨ませるケース開口を有するカートリッジケースと、
前記記録ディスクメディアと前記カートリッジケースとの間で回動することで前記ケース開口を開閉するロータリシャッタと、を備え、
前記ロータリシャッタは、前記記録ディスクメディアの一面側に配置される上シャッタと、前記記録ディスクメディアの他面側に配置される下シャッタと、前記記録ディスクメディアの半径方向外側であって前記上シャッタと前記下シャッタとの間に配置されるシャッタウォールと、を有し、かつ、
前記上シャッタ、前記下シャッタ及び前記シャッタウォールのうち少なくとも一つを防カビ処理したことを特徴とする記録ディスクカートリッジ。
【請求項２】
前記上シャッタ及び前記下シャッタのうち少なくとも一つを、銀及び銅のうち少なくとも一方の金属元素を有する金属プレートで作製していることを特徴とする請求項１に記載の記録ディスクカートリッジ。
【請求項３】
前記シャッタウォールを形成する合成樹脂に防カビ剤を混合していることを特徴とする請求項１又は請求項２に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシートやポリエチレンナフタレートシート等からなる円盤状の支持体の両面に磁性層を形成したフレキシブルな磁気ディスクメディアや、光記録ディスクメディア、相変化ディスクメディア等の記録ディスクメディアをカートリッジケースに収容した記録ディスクカートリッジが知られている。これらの記録ディスクメディアは、年々、高密度記録化されており、その記録トラック幅はより狭くなってきていると共にその記録波長はより短くなってきている。
【０００３】
従来の記録ディスクカートリッジとしては、例えば特許文献１に記載のものが知られている。特許文献１に記載の記録ディスクカートリッジは、記録ディスクメディアと、ロータリシャッタと、を主に備えている。
【特許文献１】米国特許第６２５６１６８号明細書
【発明の開示】
【発明が解決しようとする課題】
【０００４】
しかしながら、特許文献１等に記載される従来の記録ディスクカートリッジは、高温多湿な環境下で使用されると、記録ディスクメディアにカビが発生する場合があった。記録ディスクメディアにカビが発生すると、発生したカビによって書き込み／読み込みエラーが発生することがあった。
【０００５】
本発明は、前記課題に鑑みてなされたものであり、高温多湿な環境下でも好適に使用可能な記録ディスクカートリッジを提供することを課題とする。
【課題を解決するための手段】
【０００６】
前記課題を解決した本発明に係る記録ディスクカートリッジは、記録ディスクメディアと、前記記録ディスクメディアを収容すると共に、当該記録ディスクメディアを外部に臨ませるケース開口を有するカートリッジケースと、前記記録ディスクメディアと前記カートリッジケースとの間で回動することで前記ケース開口を開閉するロータリシャッタと、を備え、前記ロータリシャッタは、前記記録ディスクメディアの一面側に配置される上シャッタと、前記記録ディスクメディアの他面側に配置される下シャッタと、前記記録ディスクメディアの半径方向外側であって前記上シャッタと前記下シャッタとの間に配置されるシャッタウォールと、を有し、かつ、前記上シャッタ、前記下シャッタ及び前記シャッタウォールのうち少なくとも一つを防カビ処理したことを特徴としている。
【０００７】
このように、ロータリシャッタの上シャッタ、下シャッタ及びシャッタウォールのうち少なくとも一つを防カビ処理しているので、記録ディスクメディアにカビが発生するのを防止することができる。
【０００８】
本発明においては、前記上シャッタ及び前記下シャッタのうち少なくとも一つを、銀及び銅のうち少なくとも一方の金属元素を有する金属プレートで作製するのが好ましい。
上シャッタ及び下シャッタのうち少なくとも一つをこのような金属プレートで作製すれば、当該金属プレートに含有されている銀（銀イオン：Ａｇ+）や銅（銅イオン：Ｃｕ2+）によってオリゴダイナミー（Oligodynamie；微量金属作用）の効果が得られるために、記録ディスクメディアにカビが発生するのを好適に防止することができる。
【０００９】
本発明においては、前記シャッタウォールを形成する合成樹脂に防カビ剤を混合するのが好ましい。
シャッタウォールをこのような合成樹脂で作製すれば、防カビ剤の効果によって記録ディスクメディアにカビが発生するのを好適に防止することができる。
【発明の効果】
【００１０】
本発明によれば、上シャッタ、下シャッタ及びシャッタウォールのうち少なくとも一つを防カビ処理しているので、記録ディスクメディアにカビが発生するのを防止することができる。そのため、高温多湿な環境下でも好適に使用可能な記録ディスクカートリッジを提供することができる。
【発明を実施するための最良の形態】
【００１１】
本発明を実施するための最良の形態について図面を参照して詳細に説明する。
参照する図面において、図１は、本実施形態に係る記録ディスクカートリッジを示す斜視図であり、（ａ）は、前方斜め上方からみた図、（ｂ）は、後方斜め下方からみた図をそれぞれ示している。図２は、本実施形態に係る記録ディスクカートリッジの分解斜視図である。図３は、本実施形態に係るロータリシャッタを示す斜視図であり、（ａ）は前方斜め上方からみた図、（ｂ）は後方斜め下方からみた図である。図４は、本実施形態に係る記録ディスクカートリッジを下方からみた平面図である。図５は、本実施形態に係る記録ディスクカートリッジをドライブ装置に挿入した状態を示す斜視図である。
なお、本実施形態において方向を説明する場合は、図１に示す前、後、右、左、上、下、を基準として説明する。
【００１２】
≪記録ディスクカートリッジ１の構成≫
本実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０と、記録ディスクメディア３０をクリーニング及び保護等するライナ６０，６０と、を主に備えている。そして、このような記録ディスクカートリッジ１は、専用のドライブ装置Ｄ（図５参照）に、その前側から挿入されて使用される。
【００１３】
＜カートリッジケース１０＞
カートリッジケース１０は、図１に示すように、記録ディスクメディア３０を収容するための厚さの薄い箱状体である。そして、カートリッジケース１０は、前端部１０ａが平面視で円弧（アーチ）状に形成されると共に、後端部１０ｂ、右端部１０ｃ及び左端部１０ｄが平面視で略直線状に形成されている。なお、後端部１０ｂの中間部は、その両側に比してやや後側に膨らんでおり、記録ディスクカートリッジ１をドライブ装置Ｄから取り出す際に把持し易くなっている（図５参照）。
【００１４】
また、カートリッジケース１０は、その内部に収容された記録ディスクメディア３０を外部に臨ませるための、平面視でくさび形（中心角が略９０°の略扇形）に切り欠かれたアクセス用開口部１０１（ケース開口）を有している。なお、このアクセス用開口部１０１は、ドライブ装置ＤのスイングアームＳＡ（図５参照）の動作に干渉しない形状となっている。
【００１５】
このようなカートリッジケース１０は、図２に示すように、互いに対向して配置される金属製の上シェル１１及び下シェル１２と、この上シェル１１及び下シェル１２の間に介在した合成樹脂製のフレーム部材１３と、を備えて構成されている。
【００１６】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００１７】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、前記したカートリッジケース１０のアクセス用開口部１０１が構成されている。
【００１８】
また、上シェル１１は、その右側に、金属プレートを折り曲げ加工して一体形成された平面視直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
そして、カートリッジケース１０が組み立てられたときに、折り曲げ部１１２ｃと折り曲げ部１２２ｃが重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００１９】
さらに、上シェル１１は、その中央部に、ロータリシャッタ２０を回動可能に止め付けるセンタピン５０と係合する係合孔１１３を有している。
【００２０】
一方、下シェル１２は、その中央部に、記録ディスクメディア３０のハブ３２を外部に臨ませるハブ孔１２３を有している。そして、記録ディスクカートリッジ１がドライブ装置Ｄに装着された際に、このハブ孔１２３を介して、ドライブ装置Ｄのスピンドル（図示省略）が、ハブ３２に係合するようになっている。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
【００２１】
［フレーム部材１３］
フレーム部材１３は、図２に示すように、主に前端部１０ａの周壁となるアーチ状フレーム１３１と、主に後端部１０ｂの周壁となるベースフレーム１３２と、主に左端部１０ｄの前側の周壁の一部となるＶノッチ部１３３と、を備えて構成されている。
【００２２】
アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａの形状に沿って平面視で円弧状に形成されている。
これと同様に、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂの形状に沿って平面視で略直線形状に形成されている。
【００２３】
また、アーチ状フレーム１３１は、下向きに開口し、カートリッジケース１０の内部と外部を連通させる係合溝１３１ｅ（図４参照）を有している。この係合溝１３１ｅは、後記するロック片７０が係合する溝である。
【００２４】
Ｖノッチ部１３３は、後記するように閉方向に付勢されるロータリシャッタ２０を閉位置で止めるストッパとしての役割と（図４参照）、ドライブ装置Ｄとの係合部としての役割とを備える部材であり、左端部１０ｄの前側に配置されている。
【００２５】
そして、このような上シェル１１及び下シェル１２とフレーム部材１３とは、公知の技術によって、それぞれ固定されている。例えば、（１）フレーム部材１３にボスを設けると共に、上シェル１１及び下シェル１２にボス孔を設け、ボスをボス孔に挿通した状態でボスの先端をかしめたり、（２）上シェル１１及び下シェル１２とフレーム部材１３とを接着剤により接着したりして、上シェル１１及び下シェル１２とフレーム部材１３とが固定されている。
【００２６】
＜ロータリシャッタ２０＞
ロータリシャッタ２０は、アクセス用開口部１０１（図１参照）を開閉するためのシャッタであり、中空構造の略円盤形状に形成されている。そして、ロータリシャッタ２０の中空部に、記録ディスクメディア３０が回転自在に収容されている（図３参照）。
【００２７】
ロータリシャッタ２０は、図２から図５に示すように、記録ディスクメディア３０を外部に臨ませる切欠部２０１を有している。なお、切欠部２０１は、カートリッジケース１０のアクセス用開口部１０１と略同形状となっている。
そして、ロータリシャッタ２０は上シェル１１の中央部付近にセンタピン５０によって回動自在に固定されている。
【００２８】
さらに説明すると、挿通孔２１２からロータリシャッタ２０の周壁の端部２０ａまでの寸法を、挿通孔２１２からロータリシャッタ２０の周壁の端部２０ｂまでの寸法よりも若干長くしているので、ロータリシャッタ２０が閉位置にある場合、ロータリシャッタ２０の切欠部２０１と、カートリッジケース１０のアクセス用開口部１０１とが周方向にずれることになる。したがって、ロータリシャッタ２０とＶノッチ部１３３とによって、カートリッジケース１０のアクセス用開口部１０１を閉じるようになっている（図１、図３及び図４参照）。
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図５参照）。
【００２９】
また、ロータリシャッタ２０は、図示しない付勢手段（例えば渦巻きばね）によって、閉方向（図４、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部１３３に当接することで閉位置に配置され、アクセス用開口部１０１を閉じるようになっている（図１、図４、図５参照）。
ちなみに、本発明において、前記した付勢手段は必須の構成要素ではなく、ドライブ装置Ｄ（図５参照）から記録ディスクカートリッジ１を抜き出す際に、ロータリシャッタ２０が閉方向Ａ１に回動するように、ドライブ装置Ｄ側にシャッタノブ２４の係止手段を設けることによって、前記した付勢手段は省略することができる。
【００３０】
［上シャッタ２１、下シャッタ２２］
本発明において、ロータリシャッタ２０は、図２及び図３に示すように、金属プレートからなる記録ディスクメディアの一面側に配置される上シャッタ２１と、同じく金属プレートからなる記録ディスクメディアの他面側に配置される下シャッタ２２と、記録ディスクメディアの半径方向外側であって前記上シャッタと前記下シャッタとの間に配置される合成樹脂製のシャッタウォール２３と、を備えて構成されている。
【００３１】
本発明において、かかる上シャッタ２１及び下シャッタ２２は、これらのうち少なくとも一つを防カビ処理していることが好ましい。このような防カビ処理としては、例えば、銀（Ａｇ）及び銅（Ｃｕ）のうち少なくとも一方の金属元素を有する金属プレートで作製することを好適に示すことができる。このような金属プレートを用いると、当該金属プレートに含有されている銀（銀イオン：Ａｇ+）や銅（銅イオン：Ｃｕ2+）によってオリゴダイナミー（Oligodynamie；微量金属作用）の効果を得ることができるので、記録ディスクメディア３０にカビが発生するのを防止することができる。
このような金属プレートとしては、例えば、銀添加型オーステナイト系ステンレス鋼（ＳＵＳ３０４；例えば川崎製鉄(株)製）や、銅添加型オーステナイト系ステンレス鋼（ＳＵＳ３０４；例えば日新製鋼(株)製）などを挙げることができる。
【００３２】
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。
そして、切欠部２１１と切欠部２２１とで、前記したロータリシャッタ２０の切欠部２０１が構成されている。
【００３３】
上シャッタ２１は、その中央部に、前記したセンタピン５０を挿通させるための挿通孔２１２を有している。
他方、下シャッタ２２は、その中央部に、記録ディスクメディア３０の後記するハブ３２を外部に臨ませるためのハブ孔２２２を有している。
また、下シャッタ２２の下シェル１２側には、ハブ孔シャッタ４０の係合長孔４１３に係合する係合突起２２３ａと、係合長孔４２３に係合する係合突起２２３ｂとが形成されている。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００３４】
さらに、下シャッタ２２の下面には、ロータリシャッタ２０を回動させるためのシャッタノブ２４が取り付けられている（図１（ｂ）、図４参照）。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図５参照）。
【００３５】
さらにまた、下シャッタ２２は、その一部が上側に折り曲げ加工されることで一体に形成されたロック片７０（ロック機構）を備えている。ロック片７０は、記録ディスクカートリッジ１の挿入前である通常時において、ロータリシャッタ２０を閉位置でロックするためのものである。
具体的には、ロック片７０は、下シャッタ２２の側面から、その径方向外側に向かって徐々に離れるように延出した細長の金属片である。ロック片７０の先端部７１は、径方向内側に向かってやや屈曲している（図３、図４参照）。
【００３６】
そして、記録ディスクカートリッジ１がドライブ装置Ｄに挿入される前の通常時、つまり、ロータリシャッタ２０が閉位置にある場合、ロック片７０の先端部７１は、アーチ状フレーム１３１の係合溝１３１ｅ（図４参照）に係合し、ロータリシャッタ２０が回動しないようになっている。
【００３７】
また、ロック片７０の先端部７１は、係合溝１３１ｅを介して、記録ディスクカートリッジ１の右側方に臨んでいる。そして、記録ディスクカートリッジ１がドライブ装置Ｄ（図５参照）に挿入されると、ドライブ装置Ｄ内のロック解除ピン（図示省略）が、ロック片７０の先端部７１を径方向内側に押し（図４の矢印Ａ６参照）、ロック片７０と係合溝１３１ｅとの係合が解除され、ロータリシャッタ２０が回動可能となるように構成されている。
【００３８】
［シャッタウォール２３］
シャッタウォール２３は、ロータリシャッタ２０の周壁を構成する合成樹脂製の部材であり、図２に示すように、ロータリシャッタ２０の切欠部２０１に相当する部分が切り欠かれた円弧状に形成されている。具体的には、平面視「Ｃ」字形状に形成されている。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
【００３９】
本発明において、かかるシャッタウォール２３は、防カビ処理していることが好ましい。このような防カビ処理としては、例えば、特開平７−９８９５５号公報に記載されるように、塗料、接着剤、プラスチック等に用いられる工業用防カビ剤等を使用することができる。具体的には、塩素系、ヨード系、ブロム系、トリアジン系、ビスチオシアネート系、ジチオカルバメート系、スルホン系、アミン系、イミダゾール系、ピロール系、芳香族化合物系、第４級アンモニウム系、インドール系の防カビ剤を使用することができる。
【００４０】
塩素系の防カビ剤としては、例えば、塩素系トリクロルイソシアヌール酸、ジクロルイソシアヌール酸カリウム、ジクロルジメチルヒダントイン、ｐ−トルエンスルホンクロラミドナトリウム、ｐ−トルエンスルホンジクロラミドが挙げられる。
ヨード系の防カビ剤としては、例えば、ヨード系ヨード・ポリビニルピロリドン複合体、ヨード・ポリエチレングリコールモノノニルフェニルエーテル複合体、ｐ−トリルヨードメチルスルホン、ｐ−クロルフェニルジヨードメチルスルホンが挙げられる。
【００４１】
ブロム系の防カビ剤としては、例えば、ブロム系ブロムクロルジメチルヒダントイン、２，２’−ジブロム−３−ニトリルプロピオアミド、ビス（１，４−ジブロムアセトキシ）−２−ブテン、１，２−ジブロム−２，４−ジシアノブタン、２−ブロム−２−ニトロプロパン−１，３−ジオール、ベンジルブロムアセテートが挙げられる。
トリアジン系の防カビ剤としては、例えば、トリアジン系２−（ヒドロキシメチル）−Ｓ−トリアジン、ヘキサヒドロ−１，３，５−トリエチル−Ｓ−トリアジンが挙げられる。
【００４２】
ビスチオシアネート系の防カビ剤としては、例えば、ビスチオシアネート系メチレンビスチオシアネート、ビニレンビスチオシアネート、モノクロルエチレンビスチオシアネートが挙げられる。
ジチオカルバメート系の防カビ剤としては、例えば、ジチオカルバメート系ジメチルジチオカルバミン酸ナトリウム、エチレンビスジチオカルバミン酸二ナトリウム、ジメチルジチオカルバミン酸亜鉛が挙げられる。
【００４３】
スルホン系の防カビ剤としては、例えば、スルホン系ビス（トリクロルメチル）スルホン、ｔｒａｎｓ−１，２−ビス（ｎ−プロピルスルホニル）エチレン、２，３，５，６−テトラクロル−４−（メチルスルホニル）ピリジン、Ｎ，Ｎ−ジメチル−Ｎ’−フェニル−Ｎ’−（フルオロジクロルメチルチオ）スルファミドが挙げられる。
【００４４】
アミン系の防カビ剤としては、例えば、アミン系Ｎ−ココトリメチレンジアミン、Ｎ−〔α−（１−ニトロエチル）ベンジル〕エチレンジアミン、２−（ヒドロキシメチル）アミノエタノールが挙げられる。
イミダゾール系の防カビ剤としては、例えば、イミドゾール系２−（４−チオゾリル）ベンズイミダゾールが挙げられる。
【００４５】
ピロール系の防カビ剤としては、例えば、ピロール系Ｎ−（トリクロルメチルチオ）フタルイミド、Ｎ−（フルオロジクロルメチルチオ）フタルイミド、Ｎ−トリクロルメチルメルカプト−４−シクロヘキセン−１，２−ジカルボキシイミド、Ｎ−１，１，２，２−テトラクロルエチルチオテトラヒドロフタルイミド、Ｎ−（トリクロルメチルチオ）−４−シクロヘキセン−１，２−ジカルボキシイミド、Ｎ−（トリクロルメチルチオ）フタルイミドアクロレインが挙げられる。
また、ジオキサボリナン系２，６−ジメチル−１，３−ジオキサノール−４−アセテート、トリス−（ヒドロキシメチル）ニトロメタン、テトラクロルイソフタロニトリル、１−（３−クロルアリル）−３，５，７−トリアザ−１−アゾニアアダマンタンクロリドを使用することもできる。
【００４６】
芳香族化合物系の防カビ剤としては、例えば、芳香族化合物フェノールエーテル誘導体（１０，１０’−オキシビスフェノキサアルシン等）、アニリド誘導体（３，４’，５−トリブロムサリチルアニリド）が挙げられる。
【００４７】
第４級アンモニウム系の防カビ剤としては、例えば、ジイソブチルクレゾキシエトキシエチルジメチルベンジルアンモニウムクロリド、ジイソブチルフェノキシエトキシエチルジメチルベンジルアンモニウムクロリド、ジイソブチルフェノキシエトキシエチルトリメチルアンモニウムクロリド、メチルドデシルベンジルトリメチルアンモニウムクロリド、セチルトリメチルアンモニウムブロミド、セチルピリジニウムクロリドが挙げられる。
また、ビスビグアニドタイプの化合物も強い殺菌力をもっており、具体的にはクロルヘキシジン等を防カビ剤として使用することもできる。
【００４８】
インドール系の防カビ剤としては、例えば、３−（５’−ニトロ−２’−フルフリルジン）−オキシインドールが挙げられる。
【００４９】
その他、防カビ剤として、４−（２−ニトロブチル）モルホリン、４，４’−（２−エチル−２−ニトロトリメチレン）ジモルホリン、テトラヒドロ−３，５−ジメチル−２Ｈ−１，３，５−チアジアジン−２−チオン、ピリジンチオンナトリウム、１，２−ベンゾイソチアゾリン−３−オン、２−ｎ−オクチル−４−イソチアゾリン−３−オン、ベンゾ［ｄ］イソチアゾル−３−オン、２−ヒドロキシトルエンを使用することもできる。
【００５０】
なお、これらのこれらの防カビ剤は、シャッタウォール２３に均一に分布させるために、シャッタウォール２３を射出成形する前、つまり、材料となる合成樹脂のペレットを作製する際にあらかじめ混合しておくのが好ましいが、熱による防カビ剤の変質をできるだけ防止するなどの観点から、通常の合成樹脂のペレットと防カビ剤とを射出成形機に供して当該射出成形機の中で混練し、所定の形状に成形してもよい。また、前記した防カビ剤を溶剤等に溶かし、あらかじめ射出成形したシャッタウォール２３に塗布してもよい。なお、シャッタウォール２３を作製する合成樹脂としては、ポリカーボネート、アクリロニトリルブタジエンスチレン、ポリスチレン、ポリエチレン、ポリプロピレン、ポリブチレンテレフタレート、変性ポリフェニレンエーテル、ポリオキシメチレンなどを用いることができる。
【００５１】
＜記録ディスクメディア３０＞
記録ディスクメディア３０は、データを記録する記録媒体であり、本実施形態では、図２に示すように、フレキシブルディスク３１と、このフレキシブルディスク３１を支持するハブ３２と、を備えて構成されている。
【００５２】
フレキシブルディスク３１は、例えば、ポリエステルシートやポリエチレンナフタレートシート等からなる円盤状の支持体の両面に磁性層等の記録層を形成したものである。
ハブ３２は、フレキシブルディスク３１を支持する金属製の円筒状部材である。又はブ３２は、上面にフレキシブルディスク３１の取り付け部（図示省略）を備えると共に、下面にドライブ装置Ｄ（図５参照）のスピンドル（図示省略）にチャックされるチャック部３２１を備えている（図１（ｂ）参照）。
【００５３】
［ライナ６０］
ライナ６０，６０は、記録ディスクメディア３０をクリーニングすると共に、記録ディスクメディア３０を保護するものであり、例えば、不織布等から形成されている。そして、図２に示すように、ライナ６０，６０は、上シャッタ２１及び下シャッタ２２のフレキシブルディスク３１（記録ディスクメディア３０）側にそれぞれ位置しており、接着剤などによって上シャッタ２１又は下シャッタ２２に固定されている。なお、接着剤は、接着用に使用されるものを適宜に選択して用いることができる。
【００５４】
［ハブ孔シャッタ４０］
図２に戻って説明を続ける。
ハブ孔シャッタ４０は、下シェル１２とハブ３２との間の隙間Ｓ（図５参照）を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間Ｓを開閉するようになっている。
【００５５】
第１シャッタ４１及び第２シャッタ４２は、それぞれ、平面視で半円状の板状部材である。第１シャッタ４１は、その一方側に、軸孔４１１を有している。同様に、第２シャッタ４２は、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００５６】
また、第１シャッタ４１は、その他方側に、ハブ３２と嵌り合うように半円形状に切り欠かれた嵌合部４１２を有している。同様に、第２シャッタ４２は、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００５７】
さらに、第１シャッタ４１は、下シャッタ２２の下側面に設けられた係合突起２２３ａが係合する係合長孔４１３を有している。同様に、第２シャッタ４２は、係合突起２２３ａが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
【００５８】
≪記録ディスクカートリッジの作用効果≫
次に、記録ディスクカートリッジ１の作用効果について説明する。まず、ロータリシャッタ２０とハブ孔シャッタ４０について図５を主に参照して説明し、その後、防カビ処理した上シャッタ２１、下シャッタ２２及び／又はシャッタウォール２３の作用効果について説明する。
【００５９】
＜ロータリシャッタ２０＞
ロータリシャッタ２０は、図５右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており（図４参照）、その結果として、記録ディスクメディア３０等が保護されている。
なお、このようにロータリシャッタ２０が閉位置に配置される場合、シャッタノブ２４は、下シェル１２のガイド孔１２４の前方に位置している。
【００６０】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図４、矢印Ａ６参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図４、矢印Ａ２参照）。
【００６１】
そうすると、シャッタノブ２４が固定されたロータリシャッタ２０は、カートリッジケース１０内でセンタピン５０を軸として回動する（図４、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００６２】
そして、図５左側に示すように、記録ディスクカートリッジ１が完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に配置される場合、ロータリシャッタ２０に固定されたシャッタノブ２４は、下シェル１２のガイド孔１２４の後方に位置する。
【００６３】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする（図４参照）。
【００６４】
＜ハブ孔シャッタ４０の動作＞
次に、このようなロータリシャッタ２０の動作に連動するハブ孔シャッタ４０について説明する。
ハブ孔シャッタ４０は、図５右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる。これにより、この隙間Ｓからカートリッジケース１０内への塵埃の侵入が防止されており、その結果として、記録ディスクメディア３０等が保護されている。
【００６５】
そして、記録ディスクカートリッジ１がドライブ装置Ｄに挿入されて、前記したようにロータリシャッタ２０が回動すると、この回動に連動してハブ孔シャッタ４０が隙間Ｓを開く。さらに説明すると、ロータリシャッタ２０が回動すると、下シャッタ２２の係合突起２２３ａ、２２３ｂも回動する（図４、矢印Ａ４、Ａ４参照）。
【００６６】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図４、矢印Ａ５参照）。
また、係合突起２２３ｂは、第２シャッタ４２の係合長孔４２３と係合しているため、回動する係合突起２２３ｂが係合長孔４２３内を摺動することとなり、第２シャッタ４２が下シェル１２の回動軸部１２５ｂを軸として回動することとなる（図４、矢印Ａ５参照）。
【００６７】
このように第１シャッタ４１及び第２シャッタ４２がそれぞれ回動すると、ハブ孔シャッタ４０は隙間Ｓを開き、これと共に、ハブ孔シャッタ４０によるハブ３２の挟持状態が解除される（図５左側参照）。その結果として、ハブ３２及びこれを備える記録ディスクメディア３０は、ハブ３２にチャックするドライブ装置Ｄのスピンドル（図示省略）により、良好に回転することができる。
【００６８】
なお、記録ディスクカートリッジ１がドライブ装置Ｄから取り出されると、閉位置に戻るロータリシャッタ２０に連動して、ハブ孔シャッタ４０は隙間Ｓを閉じる。
【００６９】
＜防カビ処理した上シャッタ２１、下シャッタ２２、シャッタウォール２３の作用効果＞
次に、防カビ処理した上シャッタ２１、下シャッタ２２及びシャッタウォール２３の作用効果について説明する。
前記したように、本発明の記録ディスクカートリッジ１は、防カビ処理した上シャッタ２１、下シャッタ２２及びシャッタウォール２３のうち少なくとも一つを備えているので、高温多湿な環境下で使用された場合であっても、記録ディスクメディア３０にカビが発生するのを防止することができる。特に、本発明においては、第１シャッタ４１、第２シャッタ４２などを備えて各所の隙間を塞ぎ、記録ディスクメディア３０に塵埃が付着するのを防止し、さらに、本発明の上シャッタ２１、下シャッタ２２及び／又はシャッタウォール２３を防カビ処理しているので、カビが発生するのを防止する効果が高く、書き込み／読み込みエラーが発生しにくい。
【００７０】
以上、本発明の好適な実施形態について説明したが、本発明は前記実施形態に限定されず、本発明の趣旨を逸脱しない範囲で変更等することもできる。
例えば、上シャッタ２１及び下シャッタ２２を銀や銅を添加したステンレス鋼を用いて作製する旨説明したが、これらに限定されるものではなく、銀や銅を添加したアルミニウム、アルミニウム合金、マグネシウム、マグネシウム合金などを用いてもよい。
また、例えば、上シャッタ２１及び下シャッタ２２として通常用いられるステンレス鋼などに、銀、銀合金、銅、及び銅合金のいずれかを用いてメッキしてもよい。
さらに、例えば、上シャッタ２１及び下シャッタ２２として通常用いられるステンレス鋼などに、前記した防カビ剤を混合した合成樹脂などをコーティングしてもよい。
これらによっても記録ディスクメディアにカビが発生するのを防止することができる。
【図面の簡単な説明】
【００７１】
【図１】本実施形態に係る記録ディスクカートリッジを示す斜視図であり、（ａ）は、前方斜め上方からみた図、（ｂ）は、後方斜め下方からみた図をそれぞれ示している。
【図２】本実施形態に係る記録ディスクカートリッジの分解斜視図である。
【図３】本実施形態に係るロータリシャッタを示す斜視図であり、（ａ）は前方斜め上方からみた図、（ｂ）は後方斜め下方からみた図である。
【図４】本実施形態に係る記録ディスクカートリッジを下方からみた平面図である。
【図５】本実施形態に係る記録ディスクカートリッジをドライブ装置に挿入した状態を示す斜視図である。
【符号の説明】
【００７２】
１      記録ディスクカートリッジ
１０    カートリッジケース
２０    ロータリシャッタ
２１    上シャッタ
２２    下シャッタ
２３    シャッタウォール
３０    記録ディスクメディア
４０    ハブ孔シャッタ
６０    ライナ
１０１  アクセス用開口部（ケース開口）
２０１  切欠部
Ｄ      ドライブ装置
【図１】
2007164864.tif 000003
【図２】
2007164864.tif 000004
【図３】
2007164864.tif 000005
【図４】
2007164864.tif 000006
【図５】
2007164864.tif 000007